(57)【要約】【課題】この発明は、送信対象画像のデータサイズが送信制限サイズを越えた場合にも、送信対象画像のデータサイズを自動的に小さくして、送信対象画像をできる限り送信できるようにしたネットワークスキャナ装置を提供することを目的とする。【解決手段】送信対象画像のデータサイズが送信制限サイズを越えていると判別された場合には、送信対象画像のデータサイズを低減させるデータサイズ低減化処理手段、データサイズ低減化処理後の送信対象画像のデータサイズが送信制限サイズを越えているか否かを判別する判別手段、判別手段によって、データサイズ低減化処理後の送信対象画像のデータサイズが送信制限サイズ以下であると判別された場合には、送信対象画像をＥメール送信する手段を備えている。【選択図】  図１
2004171451.tif 000002
【特許請求の範囲】
【請求項１】
送信対象画像をＥメール送信するに際して、送信対象画像のデータサイズが送信制限サイズを越えているか否かを判別する第１の判別手段、
第１の判別手段によって、送信対象画像のデータサイズが送信制限サイズ以下であると判別された場合には、送信対象画像をＥメール送信する手段、
第１の判別手段によって、送信対象画像のデータサイズが送信制限サイズを越えていると判別された場合には、送信対象画像のデータサイズを低減させるデータサイズ低減化処理手段、
データサイズ低減化処理後の送信対象画像のデータサイズが送信制限サイズを越えているか否かを判別する第２の判別手段、
第２の判別手段によって、データサイズ低減化処理後の送信対象画像のデータサイズが送信制限サイズ以下であると判別された場合には、送信対象画像をＥメール送信する手段、ならびに
第２の判別手段によって、データサイズ低減化処理後の送信対象画像のデータサイズが送信制限サイズを越えている判別された場合には、送信処理を中止させる手段、
を備えていることを特徴とするネットワークスキャナ装置。
【請求項２】
データサイズ低減化処理手段は、送信対象画像の解像度、圧縮率、階調再現方式および送信画面サイズの少なくとも１つを変更することにより、送信対象画像のデータサイズを低減させるものであることを特徴とする請求項１に記載のネットワークスキャナ装置。
【発明の詳細な説明】
【０００１】
【産業上の利用分野】
この発明は、ネットワークスキャナ装置に関する。
【０００２】
【従来の技術】
スキャナによって読み取った画像に対して画像形式／解像度変換を行った後に、ネットワーク経由でＰＣに送信する機能を備えたネットワークスキャナ装置が知られている。送信形態としては、ＰＣ送信とＥメール送信とがある。ここで、ＰＣ送信とは、ネットワークスキャナ装置が接続されているネットワークと同じネットワーク上に接続されているＰＣのフォルダの中に、送信画像をファイルとして保存させる送信方法であり、Ｅメール送信とは送信画像をＥメールの添付ファイルとして送信する送信方法である。
【０００３】
読み込んだ画像をＥメール送信で送信する場合の送信制限サイズは、初期設定において予め設定されている。この設定は、例えば、”低：５１２ＫＢ”、”中：１ＭＢ”、”高：２ＭＢ”および”制限なし”から、選択して設定するようになっている。従来のネットワークスキャナ装置では、送信対象画像のデータサイズが送信制限サイズを越えた場合には、「送信制限サイズを越えました」といったメッセージが操作部に表示されるとともに、送信対象画像の送信処理が中止されるようになっている。
【０００４】
【発明が解決しようとする課題】
この発明は、送信対象画像のデータサイズが送信制限サイズを越えた場合にも、送信対象画像のデータサイズを自動的に小さくして、送信対象画像をできる限り送信できるようにしたネットワークスキャナ装置を提供することを目的とする。
【０００５】
【課題を解決するための手段】
この発明によるネットワークスキャナ装置は、送信対象画像をＥメール送信するに際して、送信対象画像のデータサイズが送信制限サイズを越えているか否かを判別する第１の判別手段、第１の判別手段によって、送信対象画像のデータサイズが送信制限サイズ以下であると判別された場合には、送信対象画像をＥメール送信する手段、第１の判別手段によって、送信対象画像のデータサイズが送信制限サイズを越えていると判別された場合には、送信対象画像のデータサイズを低減させるデータサイズ低減化処理手段、データサイズ低減化処理後の送信対象画像のデータサイズが送信制限サイズを越えているか否かを判別する第２の判別手段、第２の判別手段によって、データサイズ低減化処理後の送信対象画像のデータサイズが送信制限サイズ以下であると判別された場合には、送信対象画像をＥメール送信する手段、ならびに第２の判別手段によって、データサイズ低減化処理後の送信対象画像のデータサイズが送信制限サイズを越えている判別された場合には、送信処理を中止させる手段を備えていることを特徴とする。
【０００６】
データサイズ低減化処理手段としては、例えば、送信対象画像の解像度、圧縮率、階調再現方式および送信画面サイズの少なくとも１つを変更することにより、送信対象画像のデータサイズを低減させるものが用いられる。
【０００７】
【発明の実施の形態】
以下、図面を参照して、この発明の実施の形態について説明する。
【０００８】
ネットワークスキャナ装置は、良く知られているように、操作部、表示部、設定記憶部、原稿読取部、画像蓄積部、画像処理部、メール処理部、ネットワーク接続部等を備えている。
【０００９】
図１は、送信形態としてＥメール送信が選択された場合のネットワークスキャナ装置の動作を示している。
【００１０】
まず、原稿読取部によって原稿画像が読み取られる（ステップ１）。読み取られた原稿画像は、画像蓄積部に蓄積される（ステップ２）。
【００１１】
画像蓄積部に蓄積された画像は、画像処理部において、誤差拡散処理（階調再現処理）された後、操作部によって設定された画像形式および解像度となるように変換される（ステップ３）。
【００１２】
画像形式および解像度の変換が行われた後の画像（以下、送信対象画像という）のデータサイズが、Ｅメール送信に対して設定されている送信制限サイズを越えているか否かが判別される（ステップ４）。
【００１３】
送信対象画像のデータサイズが送信制限サイズ以下である場合には、送信対象画像を送信するためのメールが生成された後（ステップ５）、送信先に対してメール送信が行われる（ステップ６）。
【００１４】
送信対象画像のデータサイズが送信制限サイズを越えている場合には、送信対象画像のデータサイズを１ランク下のサイズに低減させるための処理（データサイズ低減化処理）が行われる（ステップ７）。具体的には、解像度、圧縮率、階調再現方式（たとえば、誤差拡散方式、単純２値化方式）および送信画面サイズ（Ａ４、Ａ３、Ｂ４等）の少なくとも１つを変更することにより、送信対象画像のデータサイズが１ランク下のデータサイズに変更する。そして、データサイズ変更後のデータサイズが、送信制限サイズを越えているか否かが判別される（ステップ８）。
【００１５】
データサイズ変更後のデータサイズが、送信制限サイズを越えている場合には、ステップ７によって最新に行われたデータサイズ低減化処理が、最終ランクでのデータサイズ低減化処理であったか否かを判別する（ステップ９）。上記ステップ７によって最新に行われたデータサイズ低減化処理が、最終ランクでのデータサイズ低減化処理でなかった場合には、ステップ７に戻り、送信対象画像のデータサイズがさらに１ランク下のデータサイズに変更せしめられる。
【００１６】
上記ステップ９において、上記ステップ７によって最新に行われたデータサイズ低減化処理が、最終ランクでのデータサイズ低減化処理であった場合には、「送信制限サイズを越えました」といった警告メッセージが操作部に表示されるとともに（ステップ１０）、送信対象画像の送信処理が中止される（ステップ１１）。
【００１７】
上記ステップ８において、データサイズ変更後のデータサイズが、送信制限サイズ以下であると判定された場合には、送信対象画像を送信するためのメールが生成される（ステップ１２）。そして、メール本文に、解像度、圧縮率、階調再現方式（誤差拡散方式または単純２値化方式）および画像サイズ（Ａ４、Ａ３、Ｂ４等）に対する元の設定値およびデータサイズ変更後の設定値、ならびに本来の送信対象画像のデータサイズが送信制限サイズを越えたため設定値を変更した旨のメッセージが記載された後（ステップ１３）、送信先に対してメール送信が行われる（ステップ１４）。
【００１８】
【発明の効果】
この発明によれば、送信対象画像のデータサイズが送信制限サイズを越えた場合にも、送信対象画像のデータサイズを自動的に小さくして、送信対象画像をできる限り送信できるようになる。
【図面の簡単な説明】
【図１】ネットワークスキャナ装置の動作を示すフローチャートである。
【図１】
2004171451.tif 000003